(57)【要約】【課題】取付状態のまま内側からサッシ窓を容易に開閉することが可能で、サッシ窓を破壊しない限り簡単に開けることができない防犯性に富むクレセント錠の補助ロックを提供する。【解決手段】クレセントホルダ２０とロックレバー３０を折り重ね自在に連結する。クレセントホルダには、先端面２０ａにクレセント取付穴２１を設け、ロックレバーが折り重なる対向側面２０ｃにプラグ嵌合穴２３を凹設する。ロックレバーには、クレセントホルダとの折り重ね状態においてプラグ嵌合穴と向き合う位置にプラグガイド穴３５を設け、プラグガイド穴内に、プラグ先端がプラグ嵌合穴に嵌合する開き規制位置と、プラグ先端がプラグ嵌合穴から抜き出る開き規制解除位置との間を外部操作部材４５の操作によってスライド可能に連結プラグ４０を挿設し、クレセントのレバー部にクレセントホルダを取り付けた状態において、内側のサッシ枠と重なるストッパ部３３を突設する。【選択図】          図１
2006169772.tif 000002
【特許請求の範囲】
【請求項１】
内側のサッシ枠に回転自在に取り付けるクレセントと、外側のサッシ枠に固定し、施錠時に前記クレセントを回転させて掛け止める受け金具とからなるクレセント錠に装着し、前記受け金具に前記クレセントを掛け止めたとき、該クレセントの回転を規制して引違戸式サッシ窓を二重に施錠するクレセント錠の補助ロック具であって、
クレセントホルダとロックレバーとを、互いに突き合う其端面の角縁に設けたヒンジ部を支点に回動させて折り重ね自在に連結してなり、
前記クレセントホルダには、先端面に、前記クレセントのレバー部を差し込むクレセント取付穴を設け、前記ロックレバーが折り重なる対向側面に、プラグ嵌合穴を凹設すると共に前記クレセント取付穴と連通する雌ねじ穴を設け、該雌ねじ穴内に、前記クレセントのレバー部を前記クレセント取付穴内で押し付けて固定するねじピンを螺設する一方、
前記ロックレバーには、前記クレセントホルダとの折り重ね状態において、前記プラグ嵌合穴と向き合う位置で貫通させたプラグガイド穴を設け、該プラグガイド穴内に、プラグ先端が前記プラグ嵌合穴に嵌合する開き規制位置と、プラグ先端が前記プラグ嵌合穴から抜き出る開き規制解除位置との間を、外部操作部材の操作によってスライド可能に、連結プラグを挿設し、前記クレセントのレバー部に前記クレセントホルダを取り付けた状態において、前記内側のサッシ枠と重なるストッパ部を突設してなる、クレセント錠の補助ロック具。
【発明の詳細な説明】
【技術分野】
【０００１】
本発明は、引違戸式サッシ窓に使用するクレセント錠に装着し、施錠時にクレセント錠のクレセントを回転規制してサッシ窓を二重に施錠するクレセント錠の補助ロックに関する。
【背景技術】
【０００２】
従来、この種のサッシ窓用の防犯構造の中に、サッシ縦枠にクレセント錠を組み付けると共に、たとえば図１０に示すように、サッシ窓の上下に形成された窓枠溝１に補助錠２の可動な足部２ａを嵌め込んで、内側サッシ３の開きを規制することにより、二重に施錠する防犯錠構成にしたものがある。補助錠２は、窓枠溝１の溝幅に応じて、摘み２ｂを回動して足部２ａ間隔を調節可能とし、これによって着脱自在にする一方、足部２ａを溝壁１ａに押し当てて固定できるようになっている。
【発明の開示】
【発明が解決しようとする課題】
【０００３】
ところが、従来のサッシ窓用防犯構造では、サッシ窓のガラスに小穴をあけ、そこからクレセントを外し、さらに摘み２ｂを回して補助錠２を外せば、さほど大きな騒音を伴わず簡単に、外側からサッシ窓を開けられてしまうという問題がある。一方、日常生活上、内側からサッシ窓を開ける必要があるときは、その都度、障害となる補助錠２を、わざわざ取り外さなければならず、面倒であるという課題があった。
【０００４】
そこで、本発明の目的は、取付状態のまま内側からサッシ窓を容易に開閉することが可能で、しかも、サッシ窓を破壊しない限り簡単には開けることができない防犯性に富むクレセント錠の補助ロックを提供することにある。
【課題を解決するための手段】
【０００５】
従って、上記した課題を解決すべく、請求項1に記載の発明は、たとえば以下に示す図示実施の形態のとおり、内側のサッシ枠１１に回転自在に取り付けるクレセント１５と、外側のサッシ枠１０に固定し、施錠時に前記クレセント１５を回転させて掛け止める受け金具１４とからなるクレセント錠Ｃに装着し、前記受け金具１４に前記クレセント１５を掛け止めたとき、該クレセント１５の回転を規制して引違戸式サッシ窓Ｗを二重に施錠するクレセント錠の補助ロック具Ｒであって、クレセントホルダ２０とロックレバー３０とを、互いに突き合う其端面２０ａ・３０ａの角縁に設けたヒンジ部１９を支点に回動させて折り重ね自在に連結してなり、前記クレセントホルダ２０には、先端面２０ｂに、前記クレセント１５のレバー部１５ｂを差し込むクレセント取付穴２１を設け、前記ロックレバー３０が折り重なる対向側面２０ｃに、プラグ嵌合穴２３を凹設すると共に前記クレセント取付穴２１と連通する雌ねじ穴２２を設け、該雌ねじ穴２２内に、前記クレセント１５のレバー部１５ｂを前記クレセント取付穴２１内で押し付けて固定するねじピン２４を螺設する一方、前記ロックレバー３０には、前記クレセントホルダ２０との折り重ね状態において、前記プラグ嵌合穴２３と向き合う位置で貫通させたプラグガイド穴３５を設け、該プラグガイド穴３５内に、プラグ先端４２ａが前記プラグ嵌合穴２３に嵌合する開き規制位置と、プラグ先端４２ａが前記プラグ嵌合穴２３から抜き出る開き規制解除位置との間を、外部操作部材４５の操作によってスライド可能に、連結プラグ４０を挿設し、前記クレセント１５のレバー部１５ｂに前記クレセントホルダ２０を取り付けた状態において、前記内側のサッシ枠１１と重なるストッパ部３３を突設してなる、ことを特徴とする。
【発明の効果】
【０００６】
請求項1に記載の発明によれば、たとえ侵入者がクレセント錠近くで窓ガラスに小穴を開けて、クレセント錠の解錠規制を解除する目的でクレセントを回そうとしても、プラグガイド穴内の連結プラグを、専用の外部操作部材を用いて操作して開き規制解除位置へ戻さない限り、クレセントを回してクレセント錠を解施することができず、結局は、サッシ窓を全体に破壊しない限り、サッシ窓からは侵入できず、それだけ防犯性を高めることができる。さらに、補助ロック具はいちいち取り外さずセット状態のままでも、常に簡単にサッシ窓を開閉することができる。
【発明を実施するための最良の形態】
【０００７】
以下、図面を参照しつつ、本発明の実施の形態について説明する。
【０００８】
図１は、本発明によるクレセント錠の補助ロック具の構造を、これを用いてクレセント錠をロックした状態において示し、図２は、補助ロック具の構造をクレセント錠のロック解除状態において示している。図３は、本発明の補助ロック具を装着するクレセント錠を付設したサッシ窓の一般的な例を示している。
【０００９】
図３中符号Wで示すサッシ窓は、説明の便宜上、全体を小さく図示している。サッシ窓Ｗは、引違戸式のもので、図中奥側の外側サッシ１０と、手前側の内側サッシ１１とを備える。内外サッシ１０・１１は、周知のとおり、それぞれ左右のサッシ縦枠１０ａ、１１ａと、上下のサッシ横枠１０ｂ、１１ｂを組み付けて矩形状に形成し、内側に窓ガラスを嵌め込んだ構造になっている。
【００１０】
外側サッシ１０には、右サッシ縦枠１０ａの内側側面にクレセント錠Ｃの受け金具１４を固着している。受け金具１４は、コ形状に曲げて先端にクレセント１５に対する引掛け爪部１４ａを有してなる。一方、クレセント１５は、引掛け爪部１４ａに掛ける鍔部をもった三日月状フック部１５ａと、フック部１５ａから先細に突出するレバー部１５ｂを有し、取付板１６に回転自在に取り付けてなる。そして、取付板１６を内側サッシ１１の左サッシ縦枠１１ａの外端面に固定してクレセント１５を取り付け、該クレセント１５と受け金具１４とでクレセント錠Ｃを構成している。クレセント錠Ｃは、クレセント１５を受け金具１４側の一方向に回転すると、フック部１５ａが受け金具１４の引掛け爪部１４ａに掛け止められ、これにより施錠して内外サッシ１０・１１の開閉をロックする。斯かるクレセント錠Ｃに対し、図１および図２に示すように本発明の補助ロック具Ｒを装着し、クレセント錠Ｃと補助ロック具Ｒとでサッシ窓Ｗを二重に施錠する。
【００１１】
補助ロック具Ｒは、例えば硬質な樹脂製で、外形が略方形状のクレセントホルダ２０と、幾つかの中抜き部分２９‥を設け基端面３０ａが平面の長手箱状をなすロックレバー３０とからなる。そして、クレセントホルダ２０とロックレバー３０を、互いの基端面２０ａ・３０ａに有する角縁に細管軸１８を通して形成したヒンジ部１９を支点として、折り重ね自在に連結した構造になっている。なお、材質としては、樹脂材料に代え、例えばアルミダイキャストなど比較的軽量な各種金属材料を用いて形成することもできる。
【００１２】
クレセントホルダ２０は、図４および図５に拡大して示すように、先端面２０ｂにクレセント取付穴２１を凹設している。一方、ロックレバー３０が折り重なる対向側面２０ｃには、クレセント取付穴２１と連通する小径な貫通穴の雌ねじ穴２２を上下２段に穿設すると共に、雌ねじ穴２２の上側に、丸筒穴状のプラグ嵌合穴２３を凹設している。雌ねじ穴２２内には、ねじピン２４を螺設している。ねじピン２４は、基端に六角穴を有し、例えば不図示の六角レンチで外部からねじ回し操作可能になっている。
【００１３】
ロックレバー３０は、クレセントホルダ２０の外形状に合わせて略方形状をなす折り重ね部３１と、折り重ね部３１から図中下方に延びる握持部３２とを一体に連設してなる。握持部３２には、折り重ね部３１がクレセントホルダ２０と折り重なる状態において、クレセントホルダ２０を基準としてその右側へ板状に張り出したストッパ部３３が延設されている。ストッパ部３３には、クレセントホルダ２０側の板面に、すり鉢状の位置決めブシュ３３ａを突設している。折り重ね部３１には、クレセントホルダ２０との折り重ね状態においてプラグ嵌合穴２３と向き合う位置に、プラグガイド穴３５を横断的に貫通させて設ける。また、基端面３０ａには、そのヒンジ部１９側近くから、プラグガイド穴３５と直交する向きに貫通させて段付きの縦穴３６を設ける。プラグガイド穴３５は、内側の対向側面３０ｂ寄りに有する穴部３５ａを、後述する連結プラグ４０の軸部４２に合わせて一段小径な丸穴状に形成し、外側寄りの穴部３５ｂを、プラグ頭部４１に合わせて一段太径な丸穴状に形成した、段付き穴になっている。
【００１４】
斯かる形状のロックレバー３０は、プラグガイド穴３５内に、連結プラグ４０を、軸方向にスライド可能に且つ周方向に回転可能に挿設する一方、縦穴３６内にガイドピン３７を圧入し、その先端係合部３７ａが一部プラグガイド穴３５へ突出する状態で固定的に埋設している。連結プラグ４０は、頭部４１と軸部４２からなる外形が丸いボルト軸状をなし、頭部４１の端面に三角穴４１ａを凹設し、軸部４２の周面にはガイド溝４３が設けられている。ガイド溝４３は、ガイドピン３７の先端係合部３７ａを係合可能な細い溝幅で全体をＬ形溝に形成し、軸方向に直線的に設けた縦溝部４３ａと、縦溝部４３ａの頭部４１寄り溝縁から周方向へ屈曲して円弧状に設けた横溝部４３ｂとで構成されてなる。縦溝部４３ａは、連結プラグ４０がプラグガイド穴３５を通して摺動するストロークを規制する長さに形成されている。
【００１５】
ロックレバー３０は、斯かる連結プラグ４０を、軸部４２に圧縮ばね４４を巻装した状態で、縦溝部４３ａにガイドピン３７の先端係合部３７ａを係合させてプラグガイド穴３５に挿入し、穴部３５ｂにおいて軸部４２周りに圧縮ばね４４を内装する。従って、圧縮ばね４４により、連結プラグ４０を、常時図５（Ａ）中右のロック解除方向ｘへ付勢し、縦溝部４３ａの内側（図中左側）溝縁にガイドピン３７の先端係合部３７ａを当てて、軸部４２の先端４２ａがプラグガイド穴３５内に引っ込んだ第1の位置（ロックレバー３０の開き規制解除位置）に保持してプラグガイド穴３５内に挿設している。そこで、ロックレバー３０は、連結プラグ４０に合わせて先端部４５ａが断面三角形状の外部操作部材４５を用い、その先端部４５ａを連結プラグ４０の三角穴４１ａに係合させて、連結プラグ４０を圧縮ばね４４に抗して図５（Ｂ）中左のロック方向ｙへ押し込むと、ガイド溝４３の縦溝部４３ａの案内で軸部４２の先端４２ａがプラグガイド穴３５から突出した第２の位置（ロックレバー３０の開き規制位置）へ移動可能になっている。従って、クレセントホルダ２０との折り重ね状態において、連結プラグ４０が第２の位置へ移動すると、軸部４２の先端４２ａがクレセントホルダ２０のプラグ嵌合穴２３に嵌合する。そして連結プラグ４０を、そのまま一方向へ回動させると、ガイドピン３７の先端係合部３７ａがガイド溝４３の横溝部４３ｂに係合して連結プラグ４０の軸移動をロックし、連結プラグ４０を第２の位置に止めて保持する。即ち、軸部４２の先端４２ａがクレセントホルダ２０のプラグ嵌合穴２３に嵌合し、この軸と穴の嵌め合いで、クレセントホルダ２０に対してロックレバー３０が回動して開く動きを規制し、その開き規制状態で連結プラグ４０によりクレセントホルダ２０とロックレバー３０とが連結される構造になっている。
【００１６】
さて、上述した構成の補助ロック具Ｒでは、これを使用すべくクレセント錠Ｃに装着するときは、図１および図２に示すように、クレセントホルダ２０のクレセント取付穴２１にクレセント１５のレバー部１５ｂを差し込み、それから、六角レンチを用いて、雌ねじ穴２２内のねじピン２４を捩じ込みレバー部１５に押し付けることにより、クレセント錠Ｃに補助ロック具Ｒを固着して一体化させる。そして、クレセント錠Ｃを施解錠操作するときは、補助ロック具Ｒの握持部３２を握ってクレセント１５を必要に応じて回動し、そのフック部１５ａを受け金具１４の引掛け爪部１４ａに対し係脱させる。
【００１７】
そこで、サッシ窓Ｗをクレセント錠Ｃと補助ロック具Ｒとで二重に施錠する場合は、補助ロック具Ｒの握持部３２を握ってクレセント１５を一方向へ回動し、フック部１５ａを受け金具１４の引掛け爪部１４ａに掛け止めて、先ずは、クレセント錠Ｃでサッシ窓Ｗをロックする。次いで、補助ロック具Ｒにおいて、クレセントホルダ２０に対しロックレバー３０を回動して折り重ねる。しかる後、図５（Ｂ）に示すように、外部操作部材４５を用い、その先端部４５ａを連結プラグ４０の三角穴４１ａに係合し、連結プラグ４０を、第１の位置から圧縮ばね４４に抗して押し込んで軸部先端４２ａをクレセントガイド穴３５から突出させ、クレセントホルダ２０側のプラグ嵌合穴２３に嵌合する第２の位置まで摺動させてから、そのまま一方向へ回動してガイド溝４３の横溝部４３ｂにガイドピン３７の先端係合部３７ａを係合させ、第２の位置で止めて保持する。すると、連結プラグ４０が軸部先端４２ａとプラグ嵌合穴２３との嵌め合いで、クレセントホルダ２０に対してロックレバー３０が回動して開く動きを規制し、連結プラグ４０によりロックレバー３０をクレセントホルダ２０に連結する。そして、補助ロック具Ｒは、図１に示すように、ロックレバー３０のストッパ部３３が左サッシ縦枠１１ａの外側面Ｓに重なり、その外側面Ｓに位置決めブシュ３３ａが突き当たるロック状態になる。その結果、補助ロック具Ｒでクレセント１５の回転がロックされ、サッシ窓Ｗは、これらクレセント錠Ｃと補助ロック具Ｒとで二重に施錠される。したがって、こうして二重に施錠状態のサッシ窓Ｗでは、たとえ強引にクレセント１５を回してクレセント錠Ｃを解錠しようとしても、ロックレバー３０の位置決めブシュ３３ａが左サッシ縦枠１１ａの外側面Ｓにぶつかるため、そもそもクレセント１５を回動を許さず、クレセント錠１５の解錠を規制する。
【００１８】
故に、たとえば侵入者がクレセント錠１５近くで窓ガラスに小穴を開けて、クレセント錠Ｃの解錠規制を解除する目的でクレセント１５を回そうとしても、プラグガイド穴３５内の連結プラグ４０を、専用の外部操作部材４５を用いて操作して第１の開き規制解除位置に戻さない限り、とてもクレセント１５を回してクレセント錠Ｃを解施することはできない。したがって、結局は、サッシ窓Ｗを全体に破壊しない限り、サッシ窓Ｗから侵入できないことになる。
【００１９】
一方、日常生活で正当にクレセント錠Ｃを解錠する場合は、外部操作部材４５を用い、その先端部４５ａを連結プラグ４０の三角穴４１ａに係合し、連結プラグ４０を、ガイド溝４３の横溝部４３ｂに沿って他方向へ回動する。すると、連結プラグ４０が、圧縮ばね４４の付勢力でガイド溝４３の縦溝部４３ａの案内でスライドし、軸部４２の先端４２ａがプラグ嵌合穴２３から外れてプラグガイド穴３５内へ引っ込んだ第１の位置に戻り、クレセントホルダ２０に対するロックレバー３０の開き規制が解除される。そこで、ロックレバー３０の握持部３２を握って、図２に示すように、クレセント１５を他方向へ回して受け金具１４から掛け止めを外せばよい。こうして補助ロック具Ｒを常にクレセント錠Ｃから取り外さず装着状態のまま、簡単にサッシ窓Ｗを開閉することができる。
【００２０】
ところで、図示補助ロック具Ｒでは、上記した連結プラグ４０を用い、折り重ね状態のクレセントホルダ２０とロックレバー３０を連結して開き規制する構成であったが、これに代えて、図６および図７に示すような構造の連結プラグ５０を用いて同様に構成することもできる。以下の図示他例では、上記した図示例における構成部分と同一の構成部分には同じ符号を付して説明する。
【００２１】
図示他例において、連結プラグ５０は、それがロックレバー３０のプラグガイド穴３５を通して摺動するストロークの長さにわたって、軸部５１の中間部を一段細径にし、その外周にガイドピン３７のガイド部５１ａを形成する一方、太径な軸部先端の外周には雄ねじ部５１ｂを形成した構造になっている。他方、クレセントホルダ２０は、その対向側面２０ｃに有するプラグ嵌合穴２３を雌ねじ穴で形成した構造になっている。
【００２２】
そこで、図示他例のロックレバー３０では、連結プラグ５０を、軸部５１の外周に圧縮ばね４４を巻装した状態で、ガイド部５１ａにガイドピン３７の先端係合部３７ａを係合させてプラグガイド穴３５に挿入し、圧縮ばね４４により、連結プラグ４０を常時ロック解除方向ｘへ付勢し、ガイド部５１ａにおける内側（図中左側）溝縁にガイドピン３７の先端係合部３７ａを当てて、軸部５１先端の雄ねじ部５１ｂがプラグガイド穴３５内に引っ込んだ第1の位置（ロックレバー３０の開き規制解除位置）で保持してプラグガイド穴３５内に挿設する。そこで、ロックレバー３０は、図７（Ｂ）に示すように、外部操作部材４５を用い、その先端部４５ａを連結プラグ４０の三角穴４１ａに係合させて、連結プラグ５０を圧縮ばね４４に抗してロック方向ｙへ押し込むと、軸部４２の雄ねじ部５１ｂがプラグガイド穴３５から突出した第２の位置（ロックレバー３０の開き規制位置）へ移動可能になっている。そして、クレセントホルダ２０との折り重ね状態において、連結プラグ５０を一方向へ回して雄ねじ５１ｂをプラグ嵌合穴２３に螺合させて捩じ込み、これにより、連結プラグ５０の軸移動をロックして連結プラグ４０を第２の位置に保持する。即ち、連結プラグ５０の雄ねじ部５１ｂとプラグ嵌合穴２３との捩じ込み係合で、クレセントホルダ２０に対してロックレバー３０が回動して開く動きを規制し、その開き規制状態で連結プラグ５０によりクレセントホルダ２０とロックレバー３０とが連結される構造になっている。
【００２３】
一方、クレセント錠Ｃを解錠する場合は、外部操作部材４５を用いて、連結プラグ５０を他方向へ回動して雄ねじ部５１ｂとプラグ嵌合穴２３との螺合を外す。すると、連結プラグ５０が、圧縮ばね４４の付勢力でガイド部５１ａに沿ってスライドし、先端の雄ねじ部５１ｂがプラグガイド穴３５内へ引っ込んだ第1の位置に戻り、連結プラグ４０によるクレセントホルダ２０に対するロックレバー３０の開き規制が解除されるようになっている。
【００２４】
更に、本発明による補助ロック具Ｒでは、図８および図９に示すような構造の連結プラグ６０を用いて、折り重ね状態にあるクレセントホルダ２０とロックレバー３０とを連結して開き規制する構成にすることもできる。同様に、以下の更なる他例でも、上記図１〜図５で示した例における構成部分と同一の構成部分には、同じ符号を付して説明する。
【００２５】
更なる図示他例において、連結プラグ６０は、軸部４２の先端４２ａ外周に、矩形板状の係合凸部６０ａ・６０ａを一対設けた形状になっている。一方、クレセントホルダ２０において、対向側面２０ｃに有するプラグ嵌合穴２３を、その入口側で連結プラグ６０の先端形状に合わせてキー溝状にあけた入口穴部２３ａと、入口穴部２３ａの奥側を連結プラグ先端４２ａの係合凸部６０ａ・６０ａ間の径寸法に合わせて穴径が一段大径な奥側穴部２３ｂとで構成してなる。
【００２６】
そこで、更なる図示他例のロックレバー３０では、連結プラグ６０を、軸部４２の外周に圧縮ばね４４を巻装した状態で、ガイド溝４３の縦溝部４３ａにガイドピン３７の先端係合部３７ａを係合させてプラグガイド穴３５に挿入し、圧縮ばね４４により、連結プラグ６０を常時ロック解除方向ｘへ付勢し、縦溝部４３ａの内側溝縁にガイドピン３７の先端係合部３７ａを当てて、軸部４２の先端４２ａがプラグガイド穴３５内に引っ込んだ第1の位置（ロックレバー３０の開き規制解除位置）で保持してプラグガイド穴３５内に挿設する。そして、ロックレバー３０は、図９（Ｂ）に示すように、外部操作部材４５を用い、連結プラグ６０をガイド溝４３の縦溝部４３ａの案内で、圧縮ばね４４に抗してロック方向ｙへ押し込むと、軸部４２の先端４２ｂがプラグガイド穴３５から突出する第２の位置（ロックレバー３０の開き規制位置）へ移動可能になっている。そこで、クレセントホルダ２０との折り重ね状態において、連結プラグ６０を第２の位置へ押し込んで移動させるときに、先端４２ａがクレセントホルダ２０の対向側面２０ｃに突き当たると、連結プラグ６０をガイド溝４３の横溝部４３ｂの案内で一方向へ回動させて、先端の係合凸部６０ａ・６０ａを、プラグ嵌合穴２３の入口穴部２３ａに合致させる。そして、そのまま連結プラグ６０を押し込むと、その係合凸部６０ａ・６０ａが奥側穴部２３ｂと嵌合して抜け止めされ、これにより、連結プラグ６０は、その軸移動がロックされて第２の位置で止めて保持される。即ち、連結プラグ６０の軸部先端４２ａとプラグ嵌合穴２３との嵌め合いで、クレセントホルダ２０に対してロックレバー３０が回動して開く動きを規制し、その開き規制状態で連結プラグ６０によりクレセントホルダ２０とロックレバー３０とが連結される構造になっている。
【００２７】
一方、クレセント錠Ｃを解錠する場合は、同様に外部操作部材４５を用いて、連結プラグ６０を他方向へ回動し、先端の係合凸部６０ａ・６０ａをプラグ嵌合穴２３の入口穴部２３ａと合致させて抜け止め状態を解除する。すると、連結プラグ６０が、圧縮ばね４４の付勢力でガイド溝４３の縦溝部４３ａの案内でスライドし、先端４２ａがプラグガイド穴３５内へ引っ込んだ第1の位置に戻り、上述したと同様に、連結プラグ６０によるクレセントホルダ２０に対するロックレバー３０の開き規制が解除されるようになっている。
【図面の簡単な説明】
【００２８】
【図１】（Ａ）は本発明の一例であるクレセント錠の補助ロック具の構造を、これを用いてクレセント錠をロックした状態において示す斜視図、（Ｂ）は縦断面図である。
【図２】（Ａ）は補助ロック具の構造を、クレセント錠のロック解除状態において示す斜視図、（Ｂ）は縦断面図である。
【図３】（Ａ）は、補助ロック具を装着するクレセント錠を付設したサッシ窓の一般的な例を示す斜視図、（Ｂ）は縦断面図である。
【図４】補助ロック具を拡大して示す分解斜視図である。
【図５】（Ａ）は図４の補助ロック具を示す縦断面図、（Ｂ）はその補助ロック具をロック状態において示す縦断面図である。
【図６】他例の連結プラグを備えた補助ロック具の分解斜視図である。
【図７】（Ａ）は他例の補助ロック具を示す縦断面図、（Ｂ）はその補助ロック具をロック状態において示す縦断面図である。
【図８】更なる他例の連結プラグを備えた補助ロック具の分解斜視図である。
【図９】（Ａ）は更なる他例の補助ロック具を示す縦断面図、（Ｂ）はその補助ロック具をロック状態において示す縦断面図である。
【図１０】従来のクレセント錠の補助ロック具を付設したサッシ窓の一部を示す斜視図である。
【符号の説明】
【００２９】
Ｃ                クレセント錠
Ｒ                補助ロック具
Ｗ                サッシ窓
１０              外側サッシ枠
１１              内側サッシ枠
１４              受け金具
１５              クレセント
１９              ヒンジ部
２０              クレセントホルダ
２１              クレセント取付穴
２２              雌ねじ穴
２３              プラグ嵌合穴
２４              ねじピン
３０              ロックレバー
３３              ストッパ部
３５              プラグガイド穴
４０・５０・６０  連結プラグ
【図１】
2006169772.tif 000003
【図２】
2006169772.tif 000004
【図３】
2006169772.tif 000005
【図４】
2006169772.tif 000006
【図５】
2006169772.tif 000007
【図６】
2006169772.tif 000008
【図７】
2006169772.tif 000009
【図８】
2006169772.tif 000010
【図９】
2006169772.tif 000011
【図１０】
2006169772.tif 000012